(57)【要約】【課題】  従来に比べて厚みを薄くした大入賞口装置を提供すること。【解決手段】  開口部３を有する台板２と、開口部３において第１の軸５の回りに回転することで開閉する扉６と、ソレノイド７の励磁及び消磁に応じて台板に対して平行な方向に直線運動するプランジャ８と、プランジャ８の直線運動によって回転する第２の軸９と、第１の軸５の回転と第２の軸９の回転とを関係づけるリンク機構１１とを備えた大入賞口装置１であって、第２の軸９は、プランジャ８を挟んで台板２とは反対側において、台板２に対して平行に延びており、ソレノイド７は、台板２の背面側における開口部３の側辺及び下辺からなる周縁より外側の領域に配置した大入賞口装置１である。【選択図】        図１
2015211717.tif 000002
【特許請求の範囲】
【請求項１】
開口部を有する台板と、開口部において第１の軸の回りに回転する球受け部材と、ソレノイドの励磁及び消磁に応じて台板に対して平行な方向に直線運動するプランジャと、プランジャの直線運動によって回転する第２の軸と、第１の軸の回転と第２の軸の回転とを関係づけるリンク機構とを備えた大入賞口装置であって、
第２の軸は、プランジャを挟んで台板とは反対側において台板に対して平行に延びており、ソレノイドは、台板の背面側における開口部の側辺及び下辺からなる周縁より外側の領域に配置している大入賞口装置。
【請求項２】
第２の軸は、第１の軸と平行であることを特徴とする請求項１に記載の大入賞口装置。
【請求項３】
ソレノイドは、台板の背面上、開口部の側方に配置され、プランジャは、台板に対して平行かつ鉛直方向に直線運動することを特徴とする請求項１又は請求項２に記載の大入賞口装置。
【請求項４】
ソレノイドは、台板の背面上、開口部の下方に配置され、プランジャは、台板に対して平行かつ水平方向に直線運動することを特徴とする請求項１又は請求項２に記載の大入賞口装置。
【請求項５】
球受け部材は、第１の軸の回りに回転することで開口部を開閉する扉である請求項１乃至請求項４のいずれかに記載の大入賞口装置。
【発明の詳細な説明】
【技術分野】
【０００１】
本発明は、弾球遊技機に設けられた大入賞口装置に関する。
【背景技術】
【０００２】
弾球遊技機においては、始動口への遊技球の入球により行われる抽選結果に基づき大当たりが発生した場合には、閉塞状態にあった大入賞口が開放され、多数の遊技球の獲得を可能とするものが多く用いられている。その大入賞口の開閉を制御する特別電動役物に関する装置がいわゆるアタッカーなどと呼ばれる大入賞口装置である。
【０００３】
近年、弾性遊技機においては、表示画面の多様化や視覚的効果の向上を目指して図柄表示装置の大画面化や役物の大型化が１つの潮流となっている。このような液晶表示部品や役物の大型化は、遊技盤の裏側の限られた空間に各種の電子部品を搭載するスペースを確保する必要を生じさせるので、大入賞口装置をその駆動源を含めたユニット全体として小型化することが望まれている。
【０００４】
ユニットの小型化のためにまず検討されるのは大入賞口に取り付けられた開閉扉の駆動源であるソレノイドの小型化であるが、これには限界がある。そこで従来、ソレノイドを縦置きしたもの、即ちソレノイドによって駆動されるプランジャの移動方向が鉛直方向でかつ盤面に平行であるもの（特許文献１）や、遊技球が通る空間の背後にソレノイドを横置きしたもの、即ちプランジャの移動方向が水平方向でかつ盤面に平行となるように配置したもの（特許文献２）が提案されている。しかしながら、これらの配置では依然として厚みが大きいうえ、大入賞口内に球の振り分け機構を設ける場合などはさらに部品点数が増加して厚み増が避けられないという問題がある。
【先行技術文献】
【特許文献】
【０００５】
【特許文献１】特開２０００−１２６４１２号公報
【特許文献２】特開２０１１−９２２９７号公報
【発明の開示】
【発明が解決しようとする課題】
【０００６】
本発明は、上記現状に鑑み、従来に比べて厚みを大幅に薄くした大入賞口装置を提供することを目的とする。
【課題を解決するための手段】
【０００７】
本発明は、開口部を有する台板と、開口部において第１の軸の回りに回転する球受け部材と、ソレノイドの励磁及び消磁に応じて台板に対して平行な方向に直線運動するプランジャと、プランジャの直線運動によって回転する第２の軸と、第１の軸の回転と第２の軸の回転とを関係づけるリンク機構とを備えた大入賞口装置であって、第２の軸は、台板に対して平行に延びており、ソレノイドを台板の背面側における開口部の側辺及び下辺からなる周縁より外側の領域に配置し、かつプランジャを第２の軸に比べて台板寄りに配置した大入賞口装置である。
【０００８】
従来の大入賞口装置における薄肉化の設計思想では、ソレノイドを縦置きするか横置きするかのみに着目しており、いずれもソレノイドを大入賞口の開口部背面付近に配置している点では共通している。このことが厚みを十分に低減できない根本的な原因であると考えられる。本構成においては、ソレノイドを台板の背面における開口部の側方又は下方に配置したことで、第１の軸を回転させるリンク機構の動作のために台板の背面に確保される厚みをデッドスペースとすることなく、ソレノイドの配置に要する厚みの一部としても利用することができるとともに、第２の軸をプランジャの外側、即ち台板から遠い側に配置することで、ソレノイドの配置により占有される厚みを第２の軸の回転に伴って動作するリンク機構のために有効に活用することができる。
【０００９】
上記大入賞口装置において、第２の軸は、第１の軸と平行であることが好ましい。本構成により、開口部とその側辺及び下辺からなる周縁より外側の領域に配置されたソレノイドとの間にリンク機構をコンパクトに収容することができ、台板背面側における扉の開閉機構部が必要以上に横長になることを回避することができる。
【００１０】
本発明の大入賞口装置は、一態様において、ソレノイドが台板の背面上開口部の側方に配置され、プランジャは、台板に対して平行かつ鉛直方向に直線運動するものである。本構成により、開口部側方におけるソレノイドの縦置き配置が実現される。
【００１１】
本発明の大入賞口装置は、一態様において、ソレノイドは、台板の背面上、開口部の下方に配置され、プランジャは、台板に対して平行かつ水平方向に直線運動するものである。本構成により、開口部下方におけるソレノイドの横置き配置が実現される。
【発明の効果】
【００１２】
本発明によれば、リンク機構の動作のために台板の背面に確保される厚みとソレノイドの配置により占有される厚みとがそれぞれ積み重なって大入賞口装置の厚みに寄与するのでなく、それぞれがオーバーラップするような配置構成となるので、超薄型化を達成することができ、薄くなった分だけ他の役物の機構部品やそれを制御する電子部品を搭載するスペースとして活用することができる。
【図面の簡単な説明】
【００１３】
【図１】本発明に係る実施形態の大入賞口装置においてケースを一部取り除き内部を見えるようにした状態の背面図である。
【図２】本発明に係る実施形態の大入賞口装置の正面図である。
【図３】本発明に係る実施形態の大入賞口装置の平面図である。
【図４】本発明に係る実施形態の大入賞口装置の平面図（ケースを取り外した状態）である。
【図５】本発明に係る実施形態の大入賞口装置の右側面図である。
【図６】図２のＡ−Ａ断面図である。
【図７】図２のＢ−Ｂ断面図である。
【図８】図３のＣ−Ｃ断面図である。
【図９】（ａ）ソレノイド消磁時、（ｂ）ソレノイド励磁時それぞれにおける動作説明図である。
【発明を実施するための形態】
【００１４】
本発明に係る実施形態の大入賞口装置１について図面を参照しつつ以下に説明する。大入賞口装置１は、図１乃至図７に示す通り、開口部３を有する台板２と、第１の軸５の回りに回転することで開口部３を開閉する扉６を備え、台板２の裏面に宛がわれて固定されるケース４と、ソレノイド７の励磁及び消磁に応じて台板２に対して平行な方向に直線運動するプランジャ８と、プランジャ８の直線運動によって回転する第２の軸９と、第１の軸５の回転と第２の軸９の回転とを関係づけるリンク機構１１とを備えている。
【００１５】
台板２のおもて面には、図２に示す通り、開口部３の上辺と右辺とがなす頂点付近から右斜め上に向かって延びる傾斜台１４が突出するように形成されている一方、裏面には、図１に示す通り、開口部３の右下にＵ字状に下方に突き出るように形成された球送り部１５が形成されている。台板２の厚み（装飾部を除く。）は１ｍｍが例示できる。
【００１６】
ケース４は、図１乃至図５に示す通り、台板２に宛がわれた際に台板２の開口部３を覆う位置大きさの扉６を前面に備えている。扉６の左辺下端及び右辺下端には一対のシャフト１２がそれぞれ部分的に差し込まれ固定されており、左右に延びるシャフト１２の残りの部分は、ケース４における対応する箇所に回動可能な状態で挿入されている。このとき、シャフト１２の中心を通って扉６の下辺に沿って延びる線は、ケース４に対して回転可能な回動軸（第１の軸５）となっている。ケース４の最大厚みは１８ｍｍが例示できる。
【００１７】
なお、本明細書において、第１の軸５は、回転中心となる軸線を意味する。したがって、本実施形態ではシャフト１２そのものがケース４に対して相対的に変位しない第１の軸５となっているが、仮想的な回転中心線が想定できれば足り、シャフト１２のような棒状部材が実在していなくてもよく、第１の軸５自体がケース４に対して相対的に変位してもよい。
【００１８】
ケース４の球流通部１８は、台板２に直交する縦断面における内寸で球１個通過できる範囲に設定されているものであり、図８に示す通り、扉６の背面のほぼ全域を覆うとともに右下方向に傾斜し、底面１６ａと、後壁１６ｂ、側壁１６ｃ、天井１６ｄ、傾斜板４８を有する空間を画定し、底面１６ａの右下終端に円形貫通孔を設けた球検出部１９を設けた球流通部１８、球流通部１８の左辺側方に、傾斜板４８（図３、図８参照）を隔てて、隣接して設けられたリンク機構収納部２１、リンク機構収納部２１の左側に、隔壁４９を隔てて、隣接して設けられたソレノイド収容部２３、及び、球検出部１９の右側に形成されて制御基板２４を収納する制御基板収納部２５に区画されている。さらに、図１に示す通り、球流通部１８の下側において球検出部１９とリンク機構収納部２１との間に挟まれる空間にはＬＥＤ基板２６が、ねじ２７でケース４に取り付けられている。
【００１９】
ソレノイド７は、図１、図３、図４、図６に示す通り、ケース４内においてソレノイド収容部２３の上部に、プランジャ８は、ケース４内においてソレノイド収容部２３の下部に、それぞれソレノイド７の励磁及び消磁によってプランジャ８が台板２に対して平行かつ鉛直方向に直線運動する向きに収納されている。ソレノイド７は、台板２に面する側の面とその反対側の面とを除く４面の大部分を金属枠３１によって覆われている。金属枠３１は、大入賞口装置１上に近接配置される制御基板２４及びＬＥＤ基板２６、並びに、大入賞口装置１の周囲に配される電子基板への磁場の影響を減じるとともに、ソレノイド収容部２３の上部にソレノイド７を位置決めしている。
【００２０】
なお、ソレノイド収容部２３及び金属枠３１の上面の一部は切り欠かれてソレノイド７の入力端子３２が露出しており、電圧が印加可能になっている。また金属枠３１の下面には、図６に示す通り、プランジャ８の直径程度の大きさの貫通孔３３が開けられており、ソレノイド収容部２３の下側に先端部を向けたプランジャ８の長さの略半分が入りこんでいる。プランジャ８は、先端部に軸方向に所定の間隔を開けて２枚のフランジ３４が半径方向に延び出している。金属枠３１の下面とプランジャ８のフランジ３４との間には、逆さにしたコイルスプリング３６が介在しており、フランジ３４をソレノイド収容部２３の底面３５に向けて付勢している。
【００２１】
ソレノイド収容部２３の下部とリンク機構収納部２１との隔壁４９には、互いの空間を連絡する連絡孔３７が開けられており、ソレノイド収容部２３において連絡孔３７が開けられた面に対向する面にも軸支孔３９が開けられている。連絡孔３７の中心と軸支孔３９の中心とを結ぶ線は、プランジャ８を挟んで台板２とは反対側、即ち、プランジャ８よりも台板２から遠い側において、台板２及び第１の軸５に対して平行かつプランジャ８の運動方向に直交する方向に延びている。
【００２２】
回動片３８は、図１及び図８に示す通り、一端を、隔壁５０に設けた軸支孔３９にはめ込まれ、連絡孔３７を貫通してリンク機構収納部２１内に延びており、連絡孔３７及び軸支孔３９の内壁によって回動可能に軸支されている。回動片３８は、ソレノイド収容部２３内においてはプランジャ８の先端に向かって延びる扁平翼部４１を有し、扁平翼部４１の端部は、プランジャ８の先端に形成された２枚のフランジ３４の間に挟まれている。扁平翼部４１の台板２から遠い側には凹溝４１ａが形成され、ケース４の内壁から突出する凸部に遊嵌され、ガイドされている。以上のように、回動片３８が挿入されることで、連絡孔３７中心と軸支孔３９中心とを結ぶ線は、プランジャ８の直線運動によって回転可能な回動軸９（第２の軸９）となる。
【００２３】
なお、本明細書において、第２の軸９は、プランジャ８の直線運動によって回転可能な回転中心となる軸線を意味する。したがって、仮想的な回転中心軸が想定できれば足り、該回転中心軸は、プランジャ８を挟んで台板２とは反対側において台板２に対して平行に延びているという条件を満たす限りにおいて、それ自体がソレノイド７に対して相対的に変位してもよい。即ち、本実施形態で第２の軸９は、ソレノイド７に対して相対的に変位しない回転軸であるが、ソレノイド７に対して相対的に変位する回転軸であってもよい。
【００２４】
回動片３８の他端には、図１、図６及び図９に示す通り、扉開閉手４３が形成されている。扉開閉手４３は、概ね回動軸９に対して垂直な面内に沿って延びる扁平な板状であり、先端にはＵ字形状の挟み指４５を有する。挟み指４５は、プランジャ８がソレノイド収容部２３の底面に接した状態では、台板２にケース４を宛がった状態で台板２の方向を指さしている。扉６の側方からリンク機構収納部２１内に向けて係合関節４７が突出する。挟み指４５の溝は、係合関節４７のピン４７ａをスライド自在かつ回動自在に保持している。即ち、扉開閉手４３と係合関節４７とは、リンク機構１１を構成している。
【００２５】
ここで、図９（ａ）に示す通り、扉６が閉じた状態で、回動軸９及び扁平翼部４１を含む面Ｄと、回動軸９を含み挟み指４５の間を通る面Ｅとがなす角度は、係合関節４７の位置高さによって必然的に決まり、係合関節４７を挟み指４５が挟んだ状態を維持できれば任意である。図９（ｂ）に示す通り、プランジャ８がソレノイド７内に最も取り込まれた状態である扉６の最大開き状態で、回動軸９を含み挟み指４５の間を通る面Ｆが台板２と平行にならないように設定することが望ましい。台板２と平行になると、係合関節４７が挟み指４５から抜ける虞もあるからである。回動軸９及び扁平翼部４１を含む面Ｇと、回動軸９を含み挟み指４５の間を通る面Ｆとは、概ね、平行である。
【００２６】
以上の構成に基づく機能及び作用について以下に説明する。
図示しない弾性遊技機本体から大入賞装置１を開放するコマンドが出力されたとき、大入賞口装置１の入力端子３２に電圧が印加され、ソレノイド７が励磁する。するとプランジャ８は、コイルスプリング３６の弾性力に抗してソレノイド７の内部に引き込まれる。このときプランジャ８の先端のフランジ３４に挟まれた回動片３８の扁平翼部４１も上に持ち上がり、連絡孔３７中心と軸支孔３９中心とを結ぶ線を中心軸として、回動片３８全体が軸支孔３９の側から連絡孔３７の側を視て、矢印Ｓに示す通り、時計回りに回転する。回動片３８の回転に伴い、リンク機構収納部２１に図９（ａ）に示すような角度姿勢で収納されていた扉開閉手４３も時計回りに回転するとともに、挟み指４５の指先は図９（ｂ）の如く斜め上方に向く。この過程で係合関節４７は上に持ち上げられつつ、矢印Ｒに示す通り、反時計回りに回転し挟み指４５の付け根の方にスライド移動する。係合関節４７に加わる上記した力は、第１の軸５が支軸となって台板２の開口部３からおもて面に向けて扉６を開くように作用する。
【００２７】
扉６が開いた状態で、開口部３に直接飛び込む球、又は、台板２の表面に形成された傾斜台１４の上面に落下し開口部３に誘導された球は、一部が傾斜板４８に衝突し、球流通部１８内に誘導され傾斜する底面１６ａに沿って転がりながら球検出部１９を通って球送り部１５に落下し、そこから排出される。一定期間が経過すると、ソレノイド７への電圧印加は停止し、コイルスプリング３６の弾性力によってプランジャ８がソレノイド７から出てきて底面３５に押しつけられた状態に戻る。これによって上記した各部材に上記したのと逆方向の力が働き、扉６が閉じる。
【００２８】
本実施形態においては、ソレノイド７を台板２の背面における開口部３の側方に配置したことで、回動軸５を回転させるリンク機構１１の動作のために台板２の背面に確保される厚みをデッドスペースとすることなく、ソレノイド７の配置に要する厚みの一部としても利用することができるとともに、回動軸９をプランジャ８の外側、即ち台板２から遠い側に配置することで、ソレノイド７の配置により占有される厚みを回動軸９の回転に伴って動作するリンク機構１１のために有効に活用することができる。
【００２９】
回動軸９は、回動軸５と平行であるので、開口部３とその側辺及び下辺からなる周縁より外側の領域に配置されたソレノイド７との間にリンク機構１１をコンパクトに収容することができ、台板２背面側における扉６の開閉機構部が必要以上に横長になることを回避することができる。
【００３０】
ソレノイド７が台板２の背面上、開口部３の側方に配置され、プランジャ８は、台板２に対して平行かつ鉛直方向に直線運動するものであるので、開口部３側方におけるソレノイド７の縦置き配置が実現される。
【００３１】
リンク機構１１の動作のために台板２の背面に確保される厚みとソレノイド７の配置により占有される厚みとが、それぞれがオーバーラップするような配置構成となるので、超薄型化を達成することができ、薄くなった分だけ他の役物の機構部品やそれを制御する電子部品を搭載するスペースとして活用することができる。
【００３２】
なお、本発明は、上述の実施の形態に限定されるものではなく、本発明の技術的思想を逸脱しない範囲において、改変等を加えることが出来、それらの改変、均等物等も本発明の技術的範囲に含まれる。
【００３３】
例えば、ソレノイド７の位置及び向きは、台板の背面側における開口部の側辺及び下辺からなる周縁より外側の領域にソレノイド７を配置していれば任意であり、上記実施形態において、プランジャの直線運動の向きは維持したままでソレノイド７をケース４内においてソレノイド収容部２３の下部に、プランジャ８をケース４内においてソレノイド収容部２３の上部に収納してもよい。また、ソレノイド７を開口部３の下方に横置き、即ちプランジャ８の移動方向が台板２に平行でかつ水平方向となるように配置してもよい。このとき上記実施例と同様に扉６の下辺に沿って第１の軸５を設けるならば、第１の軸５と第２の軸９とは直交する関係にある。第１の軸５と第２の軸９とが直交している場合に、第２の軸９の回転を第１の軸５の回転に関係づけるリンク機構１１としては、例えば、特開２０１３−２３０２７６号公報に記載の構成や、傘歯車等、従来公知の様々な機構を採用することができる。また、球受け部材としては、上記実施態様における扉６以外にも、特開２０１３−２２３５９０号公報に記載の開閉部材を採用してもよい。
【符号の説明】
【００３４】
１  大入賞口装置
２  台板
３  開口部
４  ケース
５  第１の軸（回動軸）
６  扉（球受け部材）
７  ソレノイド
８  プランジャ
９  第２の軸（回動軸）
１１  リンク機構
１２  シャフト
１４  傾斜台
１５  球送り部
１６ａ  底面
１８  球流通部
１９  球検出部
２１  リンク機構収納部
２３  ソレノイド収容部
２４  制御基板
２５  制御基板収納部
２６  ＬＥＤ基板
２７  ねじ
３１  金属枠
３２  入力端子
３３  貫通孔
３４  フランジ
３５  底面
３６  コイルスプリング
３７  連絡孔
３８  回動片
３９  軸支孔
４１  扁平翼部
４３  扉開閉手
４５  挟み指
４７  係合関節
４７ａ  ピン
【図１】
2015211717.tif 000003
【図２】
2015211717.tif 000004
【図３】
2015211717.tif 000005
【図４】
2015211717.tif 000006
【図５】
2015211717.tif 000007
【図６】
2015211717.tif 000008
【図７】
2015211717.tif 000009
【図８】
2015211717.tif 000010
【図９】
2015211717.tif 000011